(57)【要約】      （修正有）【課題】中空軸筒のケースに両頭に穂先を装備されたスライダーを収納し、確実に選択した穂先の突出と両頭の穂先の同時没入可能なスライド式両頭筆を提供するものである。【解決手段】中空軸筒のケースにスライド溝１ａに嵌入孔を両端と中央に設け、ケースの中に両頭の化粧筆軸を摺動するスライダー２にスプリング機能を持たせた摺動体２ａを一体成形し後部に摺動させるスライド釦２ｃがスライド溝１ａの前部の嵌入孔に位置すると嵌入突起が嵌入するとスライダー２の前方の穂先３が突出し、スライド釦２ｃが中央に位置した時両頭の穂先が没入し、スライド釦２後部のダボ孔１ｘに位置した時スライダー２の後方の穂先４が突出する機構のスライド式両頭化粧筆である。【選択図】図２
2011056202.tif 000002
【特許請求の範囲】
【請求項１】
両端が開放され、一方が小さい中空の筒状のケース（１）に長手方向中央付近にスライド溝（1ａ）があり、嵌入孔がスライド溝（1ａ）の両端と中央に設けられ、該ケース内には摺動する一体成形した合成樹脂製のスライダー（２）が収納されている、該スライダー（２）には、両先端に化粧用穂先が組みつけられ、大きい穂先（４）が組みつけられた方向を後部方向と定め、該スライダー（２）は中央から軸径の長手方向の後部の上部を板状でケース収納可能な幅と肉厚を薄くし摺動体（２ａ）とし、下半分をスライダー（２）の母体とし、該摺動体（２ａ）の長手方向の約１/２より後部を上方向に約５〜２０度曲げ、摺動体（２ａ）とスライダー（２）母体との連結ピン（２ｄ）を設け、摺動体（２ａ）の後部上側に該ケース（１）のスライド溝（２ａ）を摺動するスライド釦（２ｃ）を設け、スライド釦（２ｃ）の同位置の両横外側に嵌入突起（２ｂ）を設けたスライド式両頭化粧筆。
【発明の詳細な説明】
【技術分野】
【０００１】
本発明は、ケースの両端が開口され両端から２種類の穂先を交互にスライドさせることにより選択使用可能にして、両頭共に没入可能なスライド式両頭化粧筆に関する事である。
【背景技術】
【０００２】
従来の先端技術は特許文献１より簡易図８で示す様に両端にそれぞれ係合孔（１２）がほぼ直角に連設された長孔（１１）が軸線方向に穿設された軸筒と、両側に２本のボールペンレフィールを保持して軸筒内を前後動する保持筒と、この保持筒に径方向のピンを介して固着されて前記長孔（１１）より突出する釦と、保持筒を軸筒の中央に弾発付勢する２本のバネとを備え、スライド釦を該長孔（１１）に沿って移動させ、いずれかの該係合孔（１２）にピンを係合した時に一方のボールペンレフィールのペン体が軸筒先端の開口より突出する両頭ボールペンにおいて、前記軸筒は、中継軸（１０）と、中継軸（１０）の両端に接続される第一軸および第二軸からなり、中継軸（１０）には、該長孔（１１）と係合孔（１２）が形成されるとともに、導入孔が中継軸（１０）の一方の端縁から長孔（１１）に続くように形成され、かつスライド釦およびピンが保持筒と一体に成形されたことを特徴とする両頭ボールペンである。（特許文献１）
【０００３】
他に特許文献２より簡易図７で示す様に、中空筒状のバレルと、該バレルの外周面に穿設されたスライダー（２０）と、該スライダー（２０）の摺動に応じて出没自在になるペン心とを備えてなる筆記具において、前記スライダー（２０）は、前記バレルの外周に突設されたクリップ（25）と、一体成形され、かつ、その全部若しくは一部が前記バレルに対して押し込み自在に組み付けられると共に、クリップ（２５）を押し上げ湾曲したスライダー（２０）を押し下げスライダー（２０）をスライドさせて、浮上位置で前記切欠溝（２３）に係止されて前記ペン芯の摺動を阻止し、押し込み位置で前記ペン芯の摺動を可能にしたスライドクリップ（25）からなることを特徴にしたスライド式筆記具である。（特許文献２）
【先行技術文献】
【特許文献】
【０００４】
【特許文献１】実開平４−１３３９０号公報
【特許文献２】実開平５−２８６８５号公報
【発明の概要】
【発明が解決しようとする課題】
【０００５】
発明が解決しようとする課題として、特許文献１によると、中継軸（１０）にボールペンレフィールを両端に取り付け交互に両頭を突出可能にし、中継軸に長孔（１１）と該長孔（１１）の両端に係合孔（１２）が対角に設けてあり、スライド釦をスライドさせていずれかの係合孔（１２）にスライド釦を固定させて選択したボールペンを交互に突出させる構成になっているが、スライド釦をスライドさせて、係合孔（１２）が対角のため意識的にスライダド釦を移動させないとスライド釦を固定不可能である、尚、両頭のボールペンを一度に没入させるために保持筒（10）内の両側からスプリングの押圧によりスライダー釦を中央に維持させているが、ペンレフィールをスムースに摺動するために保持筒（１０）とスプリングとの隙間が必要となり、両頭ボールペンを振動させるとスプリングが振動音を発生する欠点がある。
【０００６】
他に、特許文献２によると、図６からクリップ（２５）がスライダー（２０）と一体成形され、クリップ（２５）を押し上げると湾曲したスライドダー（２０）が押し下げられ係合片（２７）がスライダー溝（２２）の拡径溝（２３）高低位置より下がり選択されたペン芯を突出させる仕組みであるが、該筆記具をポケットなどに挿入してクリップ（２５）で止めていると体の動きによって意思に反してクリップ（２５）が押し上げられる場合があり、係合片（２７）のロックが解除されペン芯が突出しペンのインクでポケットを汚すことがある欠点がある。
【０００７】
本発明は、特許文献のスライダー筆記具のように多部品で構成されているのでなく、部品点数が僅か２点で構成され、前記のスプリングの異音や意思に反してスライダーの摺動することなく確実に作動するよう解決したものである。
【課題を解決するための手段】
【０００８】
本発明の課題を解決する手段として、両端が開放され、一方が小さい中空の筒状のケース（１）に長手方向中央付近にスライド溝（1ａ）があり、嵌入孔がスライド溝（1ａ）の両端と中央に設けられ、該ケース内を摺動する一体成形した合成樹脂製のスライダー（２）が収納されている、該スライダー（２）には、両先端に化粧用穂先が組みつけられ、大きい穂先（４）が組みつけられた方向を後部方向と定め、該スライダー（２）は中央から軸径の長手方向の後部の上部を板状でケース収納可能な幅とスプリング機能を持たせるため肉厚を薄くし摺動体（２ａ）とし、下半分をスライダー（２）の母体とし、該摺動体（２ａ）の長手方向の約中央より後部を上方向に約５〜２０度曲げ、該衝動体（２ａ）のスプリング機能の確定と補強のため摺動体（２ａ）とスライダー（２）母体に連結ピン（２ｄ）を設け、摺動体（２ａ）の後部上側に該ケース（１）のスライド溝（２ａ）を摺動するスライド釦（２ｃ）を設け、該スライド釦（２ｃ）の同位置の両横外側に嵌入突起（２ｂ）を設けたスライド式両頭化粧筆ある。
【０００９】
前記スライド式両頭化粧筆は、ケース（１）に設けられたスライド溝（１ａ）にスライダー（２）を後部より挿入してスライド釦（２ｃ）を突出させ、スライド溝（１ａ）の３箇所嵌入孔は、中央の嵌入孔（１ｖ）位置にスライド釦（２ｃ）を合わせるとスライド釦（２ｃ）の外側の両サイドの嵌入突起（２ｂ）が嵌入した時、スライダー（２）の両端に組みつけられた穂先は没入し、スライド釦（２ｃ）を押し下げて嵌入孔（１ｖ）に嵌入している嵌入突起（２ｂ）を解除し、スライド釦（２ｃ）をスライドさせてケース（１）のスライド溝（１ａ）の前後選択した嵌入孔にスライドすると、選択した穂先がケースより突出され、選択した嵌入孔に嵌入されスライダー（２）の摺動体（２ａ）はロックされる。それは、嵌入突起（２ｂ）が嵌入孔に嵌入されると摺動体（２ａ）の約５〜２０度上方向に曲げられた摺動体（２ａ）のスプリング応力によってスライダー（２）の摺動性がロックされる機構のスライド式両頭化粧筆を提供するものである。
【００１０】
本発明により、前記特許文献１で指摘された欠点で、摺動力をスプリング力で保持し異音を生じることを解決法として、スライダー（２）が合成樹脂製の一体成形の単体部品で摺動体（２ａ）が上に曲げられているため、常時上部にスプリング応力が掛った状態になり異音を発生することはない。また、特許文献２のクリップ（２５）によって、湾曲させてスプリング力を持たせたスライダー（２０）を押さえロックを解除してスライドさせて、ポールペンを選択する機構は、クリップ（２５）のテコ力で湾曲したスライダー（２０）の押力を低減させる仕組であるが、ポケットなどに保管していてもクリップ（２５）が引っ掛かって意思に反してスライダー（２０）が作動する欠点を防止する手段として、嵌入孔に嵌入突起を嵌入して意思に反した作動を生じないようにスライダー（２）の摺動性をロック可能とし、該ロック機能は、スライダー（２）を合成樹脂製で一体成形することにより、別部品で板状の摺動体（２ｃ）を設け、嵌入突起（２ｂ）を嵌入孔に嵌入させる機能をもたせるスプリングなどを使用してロック機構を必要とすることなく両頭の穂先を同時に没入させたり、選択した穂先を突出可能にした特徴を有する。
【発明の効果】
【００１１】
本発明は、合成樹脂製で一体成形された中空軸筒のケース（１）と穂先を両頭に組み付けるスライダー（２）と同時にスライダー（２）に摺動させる機能と節度を持たせるロック機能を兼備えた摺動体（２ａ）を一体成形により２部品で構成されているため、シンプルで簡単に組み付けられ、スライド式両頭化粧筆を小型化も大型化も容易に可能になり、コスト的にも安価で大量に製造することが可能になる効果がある。
【図面の簡単な説明】
【００１２】
【図１】スライド式両頭化粧筆の平面図。
【図２】スライド式両頭化粧筆にスライダーの収納詳細平面図。
【図３】ケースの側面図。
【図４】スライド式両頭化粧筆にスライダーの収納透視側面図。
【図５】スライド式両頭化粧筆のスライダーのダボ解除側面図。
【図６】スライダーの側面図。
【図７】スライダーの平面図
【図８】特許文献１の部分参考図。
【図９】特許文献２の部分参考図。
【発明を実施するための形態】
【００１３】
本発明を図面に基づいて説明すると、図１は、ケース（１）にスライダー（２）を挿入しスライド溝（１ａ）の前方にスライド釦（２ｃ）が位置すると嵌入突起（２ｂ）が嵌入孔（１ｖ）に嵌入し、前方の穂先（３）が突出した状態でロックされる。スライド釦（２ｃ）を押さえ中央の嵌入孔（1ｗ）に位置すると前述と同様に嵌入突起（２ｂ）が嵌入孔（１ｗ）に嵌入し、前方の穂先（３）が没入し、後方の穂先（４）も没入した状態でロックされる。更に、スライド釦（２ｃ）をスライド溝（１ａ）の後方の嵌入孔（１ｘ）に位置すると、嵌入突起（２ｂ）が嵌入孔（１ｘ）に嵌入し後方の穂先（４）が突出する構造になっている。
【００１４】
スライダー（２）単体について説明すると、図６、図７から長手方向ほぼ中央から後部方向にスライダー（２）と一体成形により連なった板状の摺動体（２ｃ）を上部に５〜２０度まげることによってスプリング機能を持たせ、更に、スプリング応力を確定させるための摺動体（２ａ）とスライダー（２）母体を連結するピン（２ｄ）を設けることによって、摺動体（２ａ）の補強を有し、前記摺動体（２ａ）の後部の上中央にスライド釦（２ｃ）を設け、該スライド釦（２ｃ）が位置する摺動体（２ａ）の両外側には図７で示すように、嵌入孔に嵌入する嵌入突起（２ｂ）を設け、スライダー（２）の下半分はスライダー母体とし、前方の先端には、小さ目の穂先（３）を取り付けられるようになっており、後方には、チップ（４）などを含めた穂先が取り付けられるように構成されている。
【００１５】
ロック機構を図４で説明すると、ケース（１）にスライダー（２）が収納状態で穂先（３）が突出した状態の内部透視側面図４が示すように、摺動体（２ａ）に設けられている嵌入突起（２ｂ）がケース（１）の嵌入孔（１ｖ）に嵌入すると、使用時などにスライダー（２）の前方に力を前後に加圧しても嵌入突起（２ｂ）がケース（１）の嵌入孔（１ｖ）に嵌入して嵌入突起（２ｂ）がケース（１）の嵌入孔（１ｖ）の肉厚より少し頭が突出しているので、ロックされた状態になる。
【００１６】
前記スライダー（２）のロックを解除するには、摺動体（２ａ）の後部の上部中央に設けられたスライド釦（２ｃ）を押し下げると嵌入突起（２ｂ）が嵌入孔（１ｖ）より押し下げられ内部透視解除側面図5のように解除状態になる。次に、解除されたスライド釦（２ｃ）をスライド溝（１ａ）に沿ってスライドさせて、中央の嵌入孔（１ｗ）位置に達すると嵌入突起（２ｂ）が摺動体（２ａ）のスプリング力で押し上げられ嵌入孔（１ｗ）に嵌入する。その時は、スライダー（２）の前方の穂先（３）も後方の穂先（４）も突出することなく没入状態となっている。同様に、スライド釦（２ｃ）を前記のように解除し、スライド溝（１ａ）の後部の嵌入孔（１ｘ）に位置すると嵌入突起（２ｂ）が嵌入し、スライダー（２）の後部の穂先が突出しロックされる仕組みを特徴としている。
【産業上の利用可能性】
【００１７】
本発明の産業上の利用は、部品点数も少なく、容易に小型化が可能で携帯用化粧具などと一緒にセトして組み込める。本発明は、筆記具にも活用する事が可能で両頭から異なる消しゴムと刷毛、リップブラシとアイシャドウチップの異種類を装備可能とする特徴がある。
【図１】
2011056202.tif 000003
【図２】
2011056202.tif 000004
【図３】
2011056202.tif 000005
【図４】
2011056202.tif 000006
【図５】
2011056202.tif 000007
【図６】
2011056202.tif 000008
【図７】
2011056202.tif 000009
【図８】
2011056202.tif 000010
【図９】
2011056202.tif 000011